(57)【要約】【課題】使用中に故障した場合でも、その復旧を迅速且つ低コストで行える情報通信装置を提供する。【解決手段】電源部２３と無線通信部２４と制御部２５とを備え、設置面に埋設状態で設置されて外部の情報通信端末との間で無線通信を行う情報通信装置２であって、電源部２３を備えて設置面に埋設状態で設置可能な電源側分割ユニットＰＵと、無線通信部２４及び制御部２５の少なくともいずれかを備えて電源側分割ユニットＰＵに対して着脱自在に装着可能な非電源側分割ユニットＣＵと、電源側分割ユニットＰＵに非電源側分割ユニットＣＵが装着されたとき、電源側分割ユニットＰＵから非電源側分割ユニットＣＵに電力供給可能な状態で電源側分割ユニットＰＵと非電源側分割ユニットＣＵとを接続する電源接続部３１と、が備えられている。【選択図】図８
2019216321.tif 000002
【特許請求の範囲】
【請求項１】
電源部と、前記電源部から供給される電力にて作動する無線通信部と、前記電源部から供給される電力にて作動して前記無線通信部を制御する制御部とを備え、設置面に埋設状態で設置されて外部の情報通信端末との間で無線通信を行う情報通信装置であって、
前記電源部を備えて設置面に埋設状態で設置可能な電源側分割ユニットと、
前記無線通信部及び前記制御部の少なくともいずれかを備えて前記電源側分割ユニットに対して着脱自在に装着可能な非電源側分割ユニットと、
前記電源側分割ユニットに前記非電源側分割ユニットが装着されたとき、前記電源側分割ユニットから前記非電源側分割ユニットに電力供給可能な状態で前記電源側分割ユニットと前記非電源側分割ユニットとを接続する電源接続部と、が備えられている情報通信装置。
【請求項２】
ＷＡＮ側の通信ケーブルが接続可能なＷＡＮ用接続部が前記電源側分割ユニットに備えられ、
前記電源側分割ユニットに前記非電源側分割ユニットが装着されたとき、前記電源側分割ユニットと前記非電源側分割ユニットとを通信可能な状態で接続する通信接続部が備えられている請求項１記載の情報通信装置。
【請求項３】
前記電源側分割ユニットに前記非電源側分割ユニットが装着されたとき、前記非電源側分割ユニットで発生する熱を前記電源側分割ユニットに伝熱可能な状態で前記電源側分割ユニットと前記非電源側分割ユニットとを接続する放熱用接続部が備えられている請求項１又は２記載の情報通信装置。
【請求項４】
前記電源側分割ユニットに対して、機能又は仕様の異なる複数種の前記非電源側分割ユニットの各々が選択的に装着可能に構成されている請求項１〜３のいずれか１項に記載の情報通信装置。
【請求項５】
機能又は仕様の異なる複数種の前記電源側分割ユニットの各々に対して、前記非電源側分割ユニットが選択的に装着可能に構成されている請求項１〜４のいずれか１項に記載の情報通信装置。
【請求項６】
前記非電源側分割ユニットは、前記電源側分割ユニットが設置面に埋設状態で設置された状態で、前記電源側分割ユニットにおける設置面の対向空間側に露出する部位に対して着脱自在に装着可能に構成されている請求項１〜５のいずれか１項に記載の情報通信装置。
【請求項７】
前記非電源側分割ユニットが前記電源側分割ユニットに装着されたとき、前記非電源側分割ユニットと前記電源側分割ユニットとを装着状態でロックするロック手段が備えられ、
前記ロック手段によるロックを解除するロック解除操作部が、設置面に埋設状態で設置された状態で設置面の対向空間側に露出する部位に備えられている請求項１〜６のいずれか１項に記載の情報通信装置。
【発明の詳細な説明】
【技術分野】
【０００１】
本発明は、設置面に埋設状態で設置されて外部の情報通信端末との間で無線通信を行う情報通信装置に関する。
【背景技術】
【０００２】
上記のような情報通信装置としては、例えば、ノートパソコン、スマートフォン、タブレット端末のような外部の情報通信端末を用いて室内等で無線ＬＡＮ通信を行うために、室内の壁面等の設置面に埋設状態で設置されて無線ＬＡＮのアクセスポイント等として機能する情報通信装置が知られている（特許文献１、２参照。）。
【０００３】
特許文献１では、情報通信装置として、商用電源ケーブルから供給される外部電力を変換する商用電力対応の電源部を備えた商用電力対応の情報通信装置と、ＷＡＮ側の通信ケーブルを介して給電機能付きのハブから供給される電力を変換するＰＯＥ（Ｐｏｗｅｒ  Ｏｖｅｒ  Ｅｔｈｅｒｎｅｔ）対応の電源部を備えたＰＯＥ対応の情報通信装置の二種類が用意されており、二種類の電力供給方式に対応可能となっている。これらの二種類の情報通信装置は、外部電力を変換する電源回路等からなる電源部、その電源部から供給される電力にて作動する無線通信部、電源部から供給される電力にて作動して無線通信部を制御する制御部等を単一のケーシングに収容して１つの埋込型のユニットとして構成されている。
【０００４】
特許文献２に記載の情報通信装置は、無線通信部に接続可能なアンテナ素子のみを備えたアンテナユニットと、電源部と無線通信部と制御部とを備えた埋込型の本体ユニットとを備えており、本体ユニットに対してアンテナユニットが着脱自在に装着可能となっている。そのため、現状と異なるアンテナ素子が必要となる場合には、アンテナユニットを取り外してアンテナ素子を交換した上で本体ユニットに再装着することで、アンテナ素子の仕様変更等に簡単に対応することができる。
【先行技術文献】
【特許文献】
【０００５】
【特許文献１】特許第６２５９９３９号公報
【特許文献２】特開２０１８−１１１６６号公報
【発明の概要】
【発明が解決しようとする課題】
【０００６】
ところで、このような情報通信装置でも、使用期間が長くなれば故障することがあるが、その故障の原因は、構成がシンプルな電源部ではなく、構成が複雑な無線通信部や制御部であることが圧倒的に多い。
この点、特許文献１及び２に記載の情報通信装置では、電源部と無線通信部と制御部とが共通の埋込型のユニットに備えられているので、修理対応としては、無線通信部や制御部のみの故障であっても、設置面からユニットごと取り外して修理や交換等を行い、正常となったユニットを設置面に改めて取り付ける作業が必要となる。
しかしながら、このような作業には、ユニットに対して商用電源ケーブルやＷＡＮ側の通信ケーブルを着脱させる等の電気工事が含まれるので、電気工事士等の専門家しか作業を行うことができない。そのため、専門家の手配やユーザとの日程調整のための時間的ロスが生じるなど、故障の発生から復旧までに時間がかかり易いという不都合がある。専門家を手配する分だけ費用も嵩み易いという不都合もある。
【０００７】
この実情に鑑み、本発明の主たる課題は、使用中に故障した場合でも、その復旧を迅速且つ低コストで行える情報通信装置を提供する点にある。
【課題を解決するための手段】
【０００８】
本発明の第１特徴構成は、電源部と、前記電源部から供給される電力にて作動する無線通信部と、前記電源部から供給される電力にて作動して前記無線通信部を制御する制御部とを備え、設置面に埋設状態で設置されて外部の情報通信端末との間で無線通信を行う情報通信装置であって、
前記電源部を備えて設置面に埋設状態で設置可能な電源側分割ユニットと、
前記無線通信部及び前記制御部の少なくともいずれかを備えて前記電源側分割ユニットに対して着脱自在に装着可能な非電源側分割ユニットと、
前記電源側分割ユニットに前記非電源側分割ユニットが装着されたとき、前記電源側分割ユニットから前記非電源側分割ユニットに電力供給可能な状態で前記電源側分割ユニットと前記非電源側分割ユニットとを接続する電源接続部と、が備えられている点にある。
【０００９】
本構成によれば、電源部を備えて設置面に埋設状態で設置可能な電源側分割ユニットに対して、無線通信部及び制御部の少なくともいずれかを備えて電源側分割ユニットに対して着脱自在に装着可能な非電源側分割ユニットを装着することにより、電源接続部にて電源側分割ユニットと非電源側分割ユニットとが電気的に接続されて電源側分割ユニットから非電源側分割ユニットに電力供給が可能な状態となり、外部の情報通信端末と無線通信可能な情報通信装置として使用することができる。
【００１０】
そして、設置面に設置されて情報通信装置として使用中に故障が発生しても、その故障の原因が電源部に比べて圧倒的に故障の多い無線通信部及び制御部のうち、非電源側分割ユニットに備えられた少なくともいずれかであれば、専門家による作業を要しない非電源側分割ユニットだけを取り外して修理や交換等を行い、正常化後の非電源側分割ユニットを電源側分割ユニットに装着することにより、復旧を迅速且つ低コストで行うことができる。
【００１１】
さらに、例えば、通信方式の変更等により、無線通信部及び制御部のうち、非電源側分割ユニットに備えられた少なくともいずれかを新たなものに交換する必要が生じても、専門家による作業を要しない非電源側分割ユニットだけを取り外して交換を行って電源側分割ユニットに装着したり、非電源側分割ユニットだけを取り外して新たなものを備えた別の非電源側分割ユニットを電源側分割ユニットに装着したりすることにより、製品のバージョンアップを迅速・簡単・低コストで行うことができる。
【００１２】
本発明の第２特徴構成は、ＷＡＮ側の通信ケーブルが接続可能なＷＡＮ用接続部が前記電源側分割ユニットに備えられ、
前記電源側分割ユニットに前記非電源側分割ユニットが装着されたとき、前記電源側分割ユニットと前記非電源側分割ユニットとを通信可能な状態で接続する通信接続部が備えられている点にある。
【００１３】
本構成によれば、ＷＡＮ側の通信ケーブルが接続可能なＷＡＮ用接続部を備えて設置面に埋設状態で設置可能な電源側分割ユニットに対して、非電源側分割ユニットを装着することにより、通信接続部にて電源側分割ユニットと非電源側分割ユニットとが接続されて電源側分割ユニットと非電源側分割ユニットとの間の通信が可能な状態となり、情報通信装置を無線ＬＡＮのアクセスポイント等として使用することができる。
【００１４】
本発明の第３特徴構成は、前記電源側分割ユニットに前記非電源側分割ユニットが装着されたとき、前記非電源側分割ユニットで発生する熱を前記電源側分割ユニットに伝熱可能な状態で前記電源側分割ユニットと前記非電源側分割ユニットとを接続する放熱用接続部が備えられている点にある。
【００１５】
本構成によれば、電源部を備えて設置面に埋設状態で設置可能な電源側分割ユニットに対して、無線通信部及び制御部の少なくともいずれかを備えて電源側分割ユニットに対して着脱自在に装着可能な非電源側分割ユニットを装着することにより、放熱用接続部にて非電源側分割ユニットで発生する熱を電源側分割ユニットに伝熱可能となり、電源側分割ユニットを通じて外部に適切に放熱することができる。よって、発熱量の多い無線通信部や制御部を備える関係から作動状態で高温化し易い非電源側分割ユニットの過剰な高温化を適切に回避することができる。
【００１６】
本発明の第４特徴構成は、前記電源側分割ユニットに対して、機能又は仕様の異なる複数種の前記非電源側分割ユニットの各々が選択的に装着可能に構成されている点にある。
【００１７】
情報通信装置の製品ラインナップとして、例えば、ユーザの要望等に応じて、付加機能として電話線の接続が可能な機能を有する製品や、付加機能として有線ＬＡＮの接続が可能な機能を有する製品、付加機能として充電コネクタが接続可能な機能を有する製品、付加機能が全くないシンプルな機能の製品等の機能又は仕様の異なる製品を揃えることが考えられる。
本構成によれば、共通の電源側分割ユニットに対して、例えば、出荷段階等において、付加機能として電話線の接続が可能な機能を有する非電源側分割ユニットや、付加機能として有線ＬＡＮの接続が可能な機能を有する非電源側分割ユニット、付加機能として充電コネクタが接続可能な機能を有する非電源側分割ユニット、付加機能が全くないシンプル機能の非電源側分割ユニット等の機能又は仕様の異なる複数種の非電源側分割ユニットの各々を選択的に装着して組み合わせることで、機能又は仕様の異なる製品を構成することができる。
よって、電源側分割ユニットの在庫総数を削減しながら、機能又は仕様の異なる複数種の製品ラインナップを実現することができる。
【００１８】
本発明の第５特徴構成は、機能又は仕様の異なる複数種の前記電源側分割ユニットの各々に対して、前記非電源側分割ユニットが選択的に装着可能に構成されている点にある。
【００１９】
情報通信装置の製品ラインナップとして、例えば、ユーザの要望等に応じて、商用電力対応の電源部を備えた製品やＰＯＥ対応の電源部を備えたＰＯＥ対応の製品等の電源部の機能又は仕様の異なる製品を揃えることが考えられる。
本構成によれば、例えば、出荷段階等において、商用電力対応の電源部を備えた電源側分割ユニットやＰＯＥ対応の電源部を備えたＰＯＥ対応の電源側分割ユニット等の電源部の機能又は仕様の異なる複数種の電源側分割ユニットの各々に対して、非電源側分割ユニットを選択的に装着して組み合わせることで、電源部の仕様又は機能の異なる複数種の製品ラインナップを実現することができる。
【００２０】
本発明の第６特徴構成は、前記非電源側分割ユニットは、前記電源側分割ユニットが設置面に埋設状態で設置された状態で、前記電源側分割ユニットにおける設置面の対向空間側に露出する部位に対して着脱自在に装着可能に構成されている点にある。
【００２１】
本構成によれば、電源側分割ユニットが設置面（例えば室内空間を区画形成する壁）に埋設状態で設置された状態のままで、その電源側分割ユニットに対して設置面の対向空間側（例えば室内空間側）から非電源側分割ユニッを着脱することができ、使用中に故障した場合の復旧を簡単且つ一層迅速に行うことができる。
【００２２】
本発明の第７特徴構成は、前記非電源側分割ユニットが前記電源側分割ユニットに装着されたとき、前記非電源側分割ユニットと前記電源側分割ユニットとを装着状態でロックするロック手段が備えられ、
前記ロック手段によるロックを解除するロック解除操作部が、設置面に埋設状態で設置された状態で設置面の対向空間側に露出する部位に備えられている点にある。
【００２３】
本構成によれば、非電源側分割ユニットが電源側分割ユニットに装着されると、ロック手段により非電源側分割ユニットと電源側分割ユニットとが装着状態でロックされるので、不測に電源側分割ユニットから非電源側分割ユニットが取り外される等の不都合を未然に回避することができる。しかも、非電源側分割ユニットを取り外したい場合には、設置面の対向空間側（例えば室内空間側）からロック解除操作部を操作することにより、電源側分割ユニットから非電源側分割ユニットを取り外すことができる。
【図面の簡単な説明】
【００２４】
【図１】情報コンセントが設置された状態を示す正面図
【図２】情報コンセントが設置された状態を示す側面図
【図３】情報通信装置の平面図
【図４】電源側分割ユニットの後方側ケーシングの斜視図
【図５】電源側分割ユニットと制御側分割ユニットとを分離させた状態の情報通信装置の平面図
【図６】電源側分割ユニットと制御側分割ユニットとを分離させた状態の情報通信装置の側面図
【図７】（ａ）電源側分割ユニットの正面図（前面図）、（ｂ）制御側分割ユニットの背面図（後面図）
【図８】情報通信装置の概略構成を示すブロック図
【図９】機能又は仕様の異なる別の制御側分割ユニットの正面図（前面図）
【発明を実施するための形態】
【００２５】
本発明に係る情報通信装置の実施形態を図面に基づいて説明する。
本発明に係る情報通信装置の一例である情報通信ユニット２は、ノートパソコンやスマートフォン、タブレット端末のような外部の情報通信端末との間で無線通信を行うものであり、例えば、図１及び図２に示すように、室内の壁Ｗ等の設置面に設置された情報コンセント１に備えられている。情報通信ユニット２は、その後方側部位が壁Ｗに埋設された埋設状態で、且つ、その前方側部位が壁Ｗよりも前方側に膨出する状態で設置されている。以下、壁Ｗに対して直交する表裏方向の表側を前後方向の前方側として、表裏方向の裏側を前後方向の後方側として説明する。
【００２６】
情報コンセント１は、図２に示すように、壁Ｗに貫通形成された矩形状の設置用孔１０の後面側に配置されたコンセントボックス１１と、壁Ｗの前面側に配置された化粧カバー１２とを、それらの間において壁Ｗの前面に当接する取り付けフレーム１３を介して固定して構成されている。
【００２７】
この情報コンセント１には、図１に示すように、情報通信ユニット２に加えて、電源コンセントユニット３が備えられている。情報コンセント１の左右方向の一方側（図１中右側）に、情報通信ユニット２が配置され、情報コンセント１の左右方向の他方側（図１中左側）に、電源コンセントユニット３が配置されている。
【００２８】
情報通信ユニット２の前面側には、図１に示す製品では、ＬＡＮ用モジュラープラグが着脱自在に接続されるＬＡＮ用モジュラーアダプタ等のＬＡＮ用接続部２９の接続口２９Ａ、電話回線用モジュラープラグが着脱自在に接続される電話回線用モジュラーアダプタ等の電話回線用接続部３０の接続口３０Ａ、各種の状態を表示する表示部３５、リセット操作するためのリセットボタン部３６、及び、外部の情報通信端末との無線通信の設定を略自動的に行うための通信設定ボタン部４２等が備えられている。電源コンセントユニット３の前面側には、上下に２つの差込口４が備えられている。
【００２９】
コンセントボックス１１の上下には、図２に示すように、壁Ｗの後方側空間（裏側空間）に配線された電源ケーブル１４、電話ケーブル（図示省略）、及び、ＷＡＮ側の通信ケーブル１５等の各ケーブルの端部が挿入される挿入口１６が形成されている。
【００３０】
通信ケーブル１５、及び、電話ケーブルは、上側の挿入口１６を通してコンセントボックス１１内に引き込まれて、情報通信ユニット２に接続されている。電源ケーブルは、商用電源を電源コンセントユニット３に供給するための電源ケーブル（図示省略）と、商用電源を電源コンセントユニット３から情報通信ユニット２に供給するための電源ケーブル１４とを有している。商用電源を電源コンセントユニット３に供給するための電源ケーブルは、上側の挿入口１６を通してコンセントボックス１１内に引き込まれて電源コンセントユニット３に接続され、商用電源を電源コンセントユニット３から情報通信ユニット２に供給するための電源ケーブル１４は、下側の挿入口１６を通してコンセントボックス１１内に引き込まれて情報通信ユニット２に接続されている。
【００３１】
化粧カバー１２には、情報通信ユニット２、電源コンセントユニット３に対応した形状の取り付け窓１７が形成され、各取り付け窓１７を通して情報通信ユニット２、電源コンセントユニット３の前面部分が前方に露出する形態で取り付けられている。
【００３２】
この情報通信ユニット２は、図５、図６、図８に示すように、少なくとも電源部２３を備えて壁Ｗに埋設状態で設置可能な後方側の電源側分割ユニットＰＵと、少なくとも無線通信部２４及び制御部２５を備えて電源側分割ユニットＰＵに対して着脱自在に装着可能な前方側の制御側分割ユニットＣＵ（非電源側分割ユニットに相当する）とに分割構成されている。制御側分割ユニットＣＵは、図２に示すように、電源側分割ユニットＰＵが壁Ｗに埋設状態で設置された状態で、電源側分割ユニットＰＵの前面部（壁Ｗの対向空間側に露出する部位の一例）に対して着脱自在に装着可能に構成されている。制御側分割ユニットＣＵは、電源側分割ユニットＰＵの前面部に装着された状態において、壁Ｗの前方側で、且つ、化粧カバー１２よりも前方側に配置されている。
【００３３】
図１〜図８（特に図８）に示す機能又は仕様の電源側分割ユニットＰＵは、電源部２３として電源ケーブル１４から供給される外部電力を変換する商用電力対応の電源部を備えた商用電力対応となっている。
この電源側分割ユニットＰＵには、電源部２３に加えて、電源ケーブル１４が接続可能な電源ケーブル用接続部２６、ＷＡＮ側の通信ケーブルが接続可能なＷＡＮ用接続部２７、電話ケーブルが接続可能な電話ケーブル用接続部２８等が備えられている。図示は省略するが、電源部２３は、電源側基板３８（図７（ａ）参照）と、それに電気的に接続されたコンバータ等の電源部品等から構成されている。電源ケーブル用接続部２６やＷＡＮ用接続部２７、電話ケーブル用接続部２８等は、電源側基板３８に電気的に接続されている。
【００３４】
電源側分割ユニットＰＵは、収容機器以外の基本構成を共通にし、機能又は仕様の異なる複数種が用意されている。図示は省略するが、図８に示すものとは機能又は仕様の異なる電源側分割ユニットＰＵとして、電源部２３としてＷＡＮ側の通信ケーブル１５を介して給電機能付きのハブから供給される電力を変換するＰＯＥ対応の電源部を備えたＰＯＥ対応の電源側分割ユニットが用意されている。
【００３５】
図２、図８に示す機能又は仕様の制御側分割ユニットＣＵは、無線通信部２４及び制御部２５に加えて、ＬＡＮ用接続部２９、電話回線用接続部３０、表示部３５等が備えられた制御側分割ユニットとなっている。
無線通信部２４及び制御部２５は、制御側基板（非電源側基板）３９（図７（ｂ）参照）等から構成されている。アンテナ素子（図示省略）、ＬＡＮ用接続部２９、電話回線用接続部３０、表示部３５等は制御側基板３９に電気的に接続されている。
【００３６】
制御側分割ユニットＣＵも、収容機器以外の基本構成を共通にし、機能又は仕様の異なる複数種が用意されている。図９に示す三種類の制御側分割ユニットＣＵは、図８に示すものとは機能又は仕様の異なる制御側分割ユニットとなっている。
図９（ａ）に示す制御側分割ユニットＣＵは、ＬＡＮ用接続部２９及び電話回線用接続部３０がなく、主に、無線通信部２４、制御部２５、表示部３５、リセットボタン部３６、通信設定ボタン部４２等が備えられている。
図９（ｂ）に示す制御側分割ユニットＣＵは、ＬＡＮ用接続部２９及び電話回線用接続部３０がなく、主に、無線通信部２４、制御部２５、表示部３５、ＵＳＢコネクタ等が接続可能な接続口４３Ａを備えた充電用接続部４３、リセットボタン部３６、通信設定ボタン部４２等が備えられている。
図９（ｃ）に示す制御側分割ユニットＣＵは、電話回線用接続部３０がなく、主に、無線通信部２４、制御部２５、ＬＡＮ用接続部２９、表示部３５、リセットボタン部３６、通信設定ボタン部４２等が備えられている。
【００３７】
そして、図７及び図８に示すように、この情報通信ユニット２には、電源側分割ユニットＰＵに対して制御側分割ユニットＣＵが装着されたとき、電源側分割ユニットＰＵから制御側分割ユニットＣＵに電力供給可能な状態で電源側分割ユニットＰＵと制御側分割ユニットＣＵとを接続する電源接続部３１が備えられている。
電源接続部３１は、電源側分割ユニットＰＵに備えられた金属製の平板状の第１電源用接点３１Ａと、制御側分割ユニットＣＵに備えられた金属製の屈曲板状（くの字状等）の第２電源用接点３１Ｂとから構成され、電源側分割ユニットＰＵに対して制御側分割ユニットＣＵが装着されたとき、第１電源用接点３１Ａと第２電源用接点３１Ｂとが接触して接続されるように配置されている。
【００３８】
また、情報通信ユニット２には、電源側分割ユニットＰＵに対して制御側分割ユニットＣＵが装着されたとき、電源側分割ユニットＰＵと制御側分割ユニットＣＵとを、通信可能な状態（本実施形態ではＬＡＮ通信及び電話通信が可能な状態）で接続する通信接続部３２が備えられている。
通信接続部３２は、電源側分割ユニットＰＵに備えられた金属製の平板状の第１通信用接点３２Ａと、制御側分割ユニットＣＵに備えられた金属製の屈曲板状（くの字状等）の第２通信用接点３２Ｂとから構成され、電源側分割ユニットＰＵに対して制御側分割ユニットＣＵが装着されたとき、第１通信用接点３２Ａと第２通信用接点３２Ｂとが接触して接続されるように配置されている。
【００３９】
そのため、この情報通信ユニット２は、電源側分割ユニットＰＵに対して制御側分割ユニットＣＵが装着されて装着状態になると、自動的に、電源接続部３１を通じて電源側分割ユニットＰＵの電源部２３から制御側分割ユニットＣＵの無線通信部２４及び制御部２５に電力の供給が可能となり、更に、通信接続部３２を通じて電源側分割ユニットＰＵと制御側分割ユニットＣＵとの間での通信が可能となる。
【００４０】
更に、図７及び図８に示すように、情報通信ユニット２には、電源側分割ユニットＰＵに対して制御側分割ユニットＣＵが装着されたとき、制御側分割ユニットＣＵで発生する熱を電源側分割ユニットＰＵに伝熱可能な状態で電源側分割ユニットＰＵと制御側分割ユニットＣＵとを接続する放熱用接続部４４が備えられている。
放熱用接続部４４は、電源側分割ユニットＰＵに備えられた第１放熱用接点４４Ａと、制御側分割ユニットＣＵに備えられた第２放熱用接点４４Ｂとから構成され、電源側分割ユニットＰＵに対して制御側分割ユニットＣＵが装着されたとき、第１放熱用接点４４Ａと第２放熱用接点４４Ｂとが接触して接続されるように配置されている。
情報通信ユニット２は、電源側分割ユニットＰＵに対して制御側分割ユニットＣＵが装着されて装着状態になると、自動的に、放熱用接続部４４を通じて制御側分割ユニットＣＵから電源側分割ユニットＰＵへの電熱が可能となる。
【００４１】
一例を挙げると、制御側分割ユニットＣＵに備えられた第２放熱用接点４４Ｂは、後述する制御側基板３９（無線通信部２４及び制御部２５を構成する制御基板３９）の後側面に配置されたパット状の熱良導体から構成され、制御側基板３９の熱を第１放熱用接点４４Ａに良好に伝熱可能に構成されている。なお、情報通信ユニット２の作動状態において、制御側分割ユニットＣＵに備えられた制御側基板３９は、電源側分割ユニットＰＵに備えられた後述する電源側基板３８よりも高温になる。
【００４２】
また、電源側分割ユニットＰＵには、左右方向に延びる第１板部４５Ａと、その第１板部４５Ａの左右両端からから後方に延びる第２板部４５Ｂとを有する上面視略コの字状の伝熱用のヒートアーム４５が収容されている。ヒートアーム４５は、金属等から熱良導性を有するように構成されている。
そして、ヒートアーム４５の第１板部４５Ａの左右中央部位が外部に露出されて第１放熱用接点４４Ａを構成している。また、ヒートアーム４５の第２板部４５Ｂの先端（後端）は、後述する熱良導性の後方側ケーシング３３Ｂの内面に接触している。
そのため、制御側分割ユニットＣＵの第２放熱用接点４４Ｂから電源側分割ユニットＰＵの第１放熱用接点４４Ａ（ヒートアーム４５の第１板部４５Ａの左右中央部位）に伝えられた熱は、ヒートアーム４５の第２板部４５Ｂの先端（後端）から後方側ケーシング３３Ｂに伝えられ、後方側ケーシング３３Ｂから外部（壁Ｗの内部空間）に放熱される。
【００４３】
このように、制御側分割ユニットＣＵで発生した熱を、放熱用接続部４４を通じて電源側分割ユニットＰＵに伝熱し、そして、電源側分割ユニットＰＵから外部（壁Ｗの内部空間）に放熱することで、発熱量の多い無線通信部２４や制御部２５を備える関係から作動状態で高温化し易い制御側分割ユニットＣＵの過剰な高温化を適切に回避することができる。
なお、ヒートアーム４５の個数や形状、配置等の具体的構成は適宜変更可能であり、例えば、電源側分割ユニットＰＵの内部において、ヒートアーム４５の第１板部４５Ａが電源側基板３８にも接触するように配置され、電源側基板３８で発生する熱も後方側ケーシング３３Ｂを介して外部（壁Ｗの内部空間）に放熱するように構成されていてもよい。
【００４４】
そして、この情報通信ユニット２では、上述の如く、基本構成を共通にし、機能又は仕様の異なる複数種の電源側分割ユニットＰＵと、基本構成を共通にし、機能又は仕様の異なる複数種の制御側分割ユニットＣＵが用意されているので、機能又は仕様の異なる複数種の電源側分割ユニットＰＵの各々に対して、機能又は仕様の異なる複数種の制御側分割ユニットＣＵの各々が選択的に装着可能となっている。
よって、ユーザの要望等に応じて適宜の電源側分割ユニットＰＵと適宜の制御側分割ユニットＣＵを適切に組み合わせることで、ユーザの要望に応じた機能又は仕様の情報通信ユニット２の製品を構成することができる。
【００４５】
以下、各分割ユニットＰＵ、ＣＵの具体的構成について説明を加える。
（電源側分割ユニット）
電源側分割ユニットＰＵは、図５、図６、図７（ａ）に示すように、前面側に開口部３３ａ（図７（ａ）参照）を有する箱状の電源側ケーシング３３を備えている。電源側ケーシング３３の内部には、図８に示すように、電源部２３や電源ケーブル用接続部２６、ＷＡＮ用接続部２７、電話ケーブル用接続部２８等の各機能部品が収容されている。また、電源側ケーシング３３の内部には、図７（ａ）に示すように、制御側分割ユニットＣＵと電気的に接続するための第１電源用接点３１Ａ及び第１通信用接点３２Ａが前面側の開口部３３ａを通じて外部に露出する状態で備えられている。
【００４６】
電源側ケーシング３３は、図５、図６、図７（ａ）に示すように、開口部３３ａを有する前面部３３ｂと、後面部３３ｃと、前面部３３ｂの外周縁部と後面部３３ｃの外周縁部とに亘る周側面部３３ｄとを有している。電源側ケーシング３３の前面部３３ｂの左右中間部位には、前方側に筒状に突出する被装着部３３ｅが形成され、その被装着部３３ｅの先端面が開放されて開口部３３ａが形成されている。電源側ケーシング３３の前面部３３ｂの残りの左右外側部位は、フランジ部３３ｆとして形成され、このフランジ部３３ｆが取り付けフレーム１３に固定自在に構成されている。
【００４７】
図７（ａ）に示すように、電源側ケーシング３３の内部における開口部３３ａの近傍位置には、開口部３３ａの開口面と平行に電源側基板３８が配置されている。電源側基板３８の前側面の下方側部位には、複数の第１電源用接点３１Ａが左右一方側に寄せて配置され、電源側基板３８の前側面の上方側部位には、複数の第１通信用接点３２Ａが左右他方側に寄せて配置されている。なお、複数の第１通信用接点３２Ａのうち、一部がＬＡＮ通信用の接点で、他部が電話通信用の接点となっている。
また、電源側基板３８の前側面の上下中間部位には、複数の第１放熱用接点４４Ａが配置されている。図６に示すように、筒状の被装着部３３ｅの内周面における上端部位及び下側部位には、後述する制御側ケーシング（非電源側ケーシング）３４の装着部３４ｅの外周面に形成された係合爪３４ｆ，４１ａが係合する凹状又は孔状の被係合部３３ｇが形成されている。
【００４８】
図４〜図６に示すように、電源側ケーシング３３の後面部３３ｃの上端部位には、ＷＡＮ用接続部２７の接続口２７Ａが斜め上方に向けて露出開口する姿勢で備えられている。また、電源側ケーシング３３の後面部３３ｃの上端部位には、電話ケーブル用接続部２８の接続口２８Ａが上方に向けて露出開口する姿勢で備えられている。更に、電源側ケーシング３３の後面部３３ｃ及び周側面部３３ｄには、後面側と側面側とに開放された一対の凹部３３ｈが形成されている。一対の凹部３３ｈの夫々には、電源ケーブル用接続部２６の接続口２６Ａが後方に向けて露出開口する姿勢で備えられている。
【００４９】
なお、図２、図４に示すように、電源側ケーシング３３は、前方側ケーシング３３Ａと後方側ケーシング３３Ｂとに分割自在に構成されている。前方側ケーシング３３Ａは、例えば、合成樹脂製にて構成され、後方側ケーシング３３Ｂは、例えば、アルミや亜鉛鋼等の金属製に構成されており、熱良導性を有するように構成されている。
【００５０】
前方側ケーシング３３Ａと後方側ケーシング３３Ｂとの着脱については、図示は省略するが、例えば、前方側ケーシング３３Ａと後方側ケーシング３３Ｂとの一方側に係合爪を形成し、前方側ケーシング３３Ａと後方側ケーシング３３Ｂとの他方側に係合爪が係合する被係合孔を形成し、係合爪と被係合孔との係合又は係合解除により、前方側ケーシング３３Ａと後方側ケーシング３３Ｂとを着脱自在に構成することができる。そして、例えば、後方側ケーシング３３Ｂに形成された貫通孔を通して、前方側ケーシング３３Ａに形成されたビス孔にビスを止めることで、前方側ケーシング３３Ａと後方側ケーシング３３Ｂとが係合した状態で固定可能に構成されている。
【００５１】
（制御側分割ユニット）
制御側分割ユニットＣＵは、図５、図６、図７（ｂ）に示すように、後面側に開口部３４ａを有する箱状の制御側ケーシング３４を備えている。制御側ケーシング３４の内部には、図８に示すように、無線通信部２４や制御部２５、ＬＡＮ用接続部２９、電話回線用接続部３０、表示部３５の構成部品等の各機能部品が収容されている。また、制御側ケーシング３４の内部には、電源側分割ユニットＰＵと電気的に接続するための第２電源用接点３１Ｂ及び第２通信用接点３２Ｂが後面側の開口部３４ａを通じて外部に露出する状態で備えられている。
【００５２】
制御側ケーシング３４は、図５、図６、図７（ｂ）に示すように、例えば、合成樹脂製にて構成され、前面部３４ｂと、開口部３４ａを有する後面部３４ｃと、前面部３４ｂの外周縁部と後面部３４ｃの外周縁部とに亘る周側面部３４ｄとを有している。制御側ケーシング３４の後面部３４ｃの左右中間部位には、後方側に筒状に突出する筒状の装着部３４ｅが形成され、その装着部３４ｅの先端面が開放されて開口部３４ａが形成されている。この筒状の装着部３４ｅは、電源側ケーシング３３の前面部３３ｂの筒状の被装着部３３ｅに対して前後方向から接近させることで、電源側ケーシング３３の前面部３３ｂの筒状の被装着部３３ｅに内嵌状態で接続自在に構成されている。
【００５３】
図７（ｂ）に示すように、制御側ケーシング３４の内部における開口部３４ａの近傍位置には、開口部３４ａの開口面と平行に制御側基板３９が配置されている。
この制御側基板３９の後側面の下方側部位（装着状態で電源側基板３８の複数の第１電源用接点３１Ａに対向する部位）には、複数の第１電源用接点３１Ａと接続するための複数の第２電源用接点３１Ｂが左右一方側に寄せて配置されている。
また、制御側基板３９の後側面の上方側部位（装着状態で電源側基板３８の複数の第１通信用接点３２Ａに対向する部位）には、複数の第１通信用接点３２Ａと接続するための複数の第２通信用接点３２Ｂが左右他方側に寄せて配置されている。なお、複数の第２通信用接点３２Ｂのうち、一部がＬＡＮ通信用の接点で、他部が電話通信用の接点となっている。
更に、制御側基板３９の後側面の上下中間部位（装着状態で電源側基板３８の複数の熱良導部３８ａに対向する部位）には、電源側基板３８の第１放熱用接点４４Ａと接触して放熱するための複数の第２放熱用接点４４Ｂが配置されている。
【００５４】
図３、図５、図６、図７（ｂ）に示すように、筒状の装着部３４ｅの外周面における上端部位及び下端部位には、電源側ケーシング３３の筒状の被装着部３３ｅに内嵌状態で接続された状態で、電源側ケーシング３３の被係合部３３ｇに係合する係合爪３４ｆ，４１ａが形成されている。
下方側の係合爪３４ｆは、装着部３４ｅの外周面の下端部位から下向きに突出する形状で制御側ケーシング３４に一体的に形成されている。
上方側の係合爪４１ａは、制御側ケーシング３４とは別体のロック部材４１に形成され、装着部３４ｅの外周面から上向きに突出して被係合部３３ｇに係合可能なロック位置と、そのロック位置から下方に移動して被係合部３３ｇから係合解除可能なロック解除位置とに位置変更自在に構成されている。
【００５５】
ロック部材４１は、図３、図５、図６に示すように、上方側の係合爪４１ａがロック位置に位置するようにスプリング等の付勢手段（図示省略）にて上方側に付勢された状態で制御側ケーシング３４に取り付けられている。ロック部材４１には、前後方向に延びる板状の基材４１Ａが備えられ、その基材４１Ａの後端部には、上方側の係合爪４１ａが上向きに突出する形状で一体形成されている。また、基材４１Ａの前端部には、付勢手段の付勢力に抗してロック部材４１を下方移動させることで、上方側の係合爪４１ａをロック解除位置に移動させるためのプッシュ式のロック解除操作部４１ｂが上向きに突出する形状で一体形成されている。
【００５６】
そのため、制御側ケーシング３４の筒状の装着部３４ｅが電源側ケーシング３３の筒状の被装着部３３ｅに内嵌状態で接続された装着状態で、制御側ケーシング３４の係合爪３４ｆ，４１ａが電源側ケーシング３３の被係合部３３ｇに係合したロック状態から、ロック解除操作部４１ｂを下方に押し下げて、上方側の係合爪４１ａをロック解除位置に位置変更させることで、上方側の係合爪４１ａと被係合部３３ｇとの係合を解除してロック解除状態とすることができる。そして、このロック解除状態において、制御側ケーシング３４を下方側の係合爪３４ｆを揺動支点にして電源側ケーシング３３から離れる側に揺動させることで、制御側ケーシング３４の筒状の装着部３４ｅを電源側ケーシング３３の筒状の被装着部３３ｅから引き出すことができる。更に、この状態から制御側ケーシング３４を相対的に斜め上方に移動させることで、下方側の係合爪３４ｆを電源側ケーシング３３の下方側の被係合部３３ｇから引き抜き、制御側ケーシング３４を電源側ケーシング３３から取り外すことができる。
【００５７】
なお、電源側分割ユニットＰＵに備えられた被係合部３３ｇ、及び、制御側分割ユニットＣＵに備えられた係合爪３４ｆ，４１ａは、制御側分割ユニットＣＵが電源側分割ユニットＰＵに装着されたとき、制御側分割ユニットＣＵと電源側分割ユニットＰＵとを装着状態でロックするロック手段を構成している。
【００５８】
図１に示すように、制御側ケーシング３４の前面部３４ｂの上方側部位には、電話回線用接続部３０の接続口３０Ａが前方に向けて露出開口する姿勢で配置されている。この前面部３４ｂの上方側部位には、電話回線用接続部３０の接続口３０Ａに加えて、情報通信ユニット２の電源の投入状態を示す電源インジケータ、ルーティング機能（有線ＬＡＮや無線ＬＡＮを利用した情報通信機能）の利用可能状態を示すＬＡＮインジケータ、ネットワークのアクセス状態を示すアクセスインジケータ等の表示部３５、及び、リセットボタン部３６が配置されている。
また、制御側ケーシング３４の前面部３４ｂの上下中間部位には、通信設定ボタン部４２が配置され、制御側ケーシング３４の前面部３４ｂの下方側部位には、ＬＡＮ用接続部２９の接続口２９Ａが前方に向けて露出開口する姿勢で配置されている。
【００５９】
図６に示すように、制御側ケーシング３４の周側面部３４ｄにおける下側面部（底面部）には、情報通信ユニット２の電源をＯＮ状態とＯＦＦ状態とに切り替え自在な電源スイッチ３７が配置されている。また、図５、図６に示すように、制御側ケーシング３４の周側面部３４ｄにおける上側面部には、前述したロック解除操作部４１ｂが備えられている。なお、制御側ケーシング３４の前面部３４ｂと周側面部３４ｄは、情報通信ユニット２が壁Ｗに埋設状態で設置された状態で壁Ｗの対向空間側に露出する部位を構成している。
【００６０】
〔別実施形態〕
本発明の他の実施形態について説明する。なお、以下に説明する各実施形態の構成は、それぞれ単独で適用するものに限られず、他の実施形態の構成と組み合わせて適用することも可能である。
【００６１】
（１）前述の実施形態では、電源側分割ユニットＰＵとして、機能又は仕様の異なる二種類が用意されている場合を例に示したが、一種類又は三種類以上用意されていてもよい。同様に、前述の実施形態では、制御側分割ユニットＣＵとして、機能又は仕様の異なる四種類が用意されている場合を例に示したが、一種類〜三種類又は五種類以上用意されていてもよい。
【００６２】
（２）電源接続部３１や通信接続部３２、ロック手段３３ｇ，３４ｆ，４１ａ、ロック解除操作部４１ｂ等の各部の配置・個数・構造等の具体的構成は、前述の実施形態で示した構成に限らず、種々の構成変更が可能である。
【００６３】
（３）前述の実施形態では、無線通信部２４が制御側分割ユニットＣＵに備えられている場合を例に示したが、場合によっては、制御側分割ユニットＣＵではなく電源側分割ユニットＰＵに備えられていてもよい。また、前述の実施形態では、制御部２５が制御側分割ユニットＣＵに備えられている場合を例に示したが、場合によっては、制御側分割ユニットＣＵではなく電源側分割ユニットＰＵに備えられていてもよい。
【００６４】
（４）前述の実施形態では、無線通信部２４及び制御部２５の両方が制御側分割ユニットＣＵに備えられている場合を例に示したが、無線通信部２４と制御部２５のうちの無線通信部２４だけ又は制御部２５だけ制御側分割ユニットＣＵに備えられていてもよい。要するに、無線通信部２４と制御部２５の少なくともいずれかが制御側分割ユニットＣＵに備えられていればよい。
【符号の説明】
【００６５】
２            情報通信ユニット（情報通信装置）
１５          通信ケーブル
２３          電源部
２４          無線通信部
２５          制御部
２７          ＷＡＮ用接続部
３１          電源接続部
３２          通信接続部
３３ｇ        被係合部（ロック手段）
３４ｆ        係合爪（ロック手段）
４１ａ        係合爪（ロック手段）
４１ｂ        ロック解除操作部
ＣＵ          制御側分割ユニット（非電源側分割ユニット）
ＰＵ          電源側分割ユニット
ＰＵ          分割ユニット
Ｗ            壁（設置面）
【図１】
2019216321.tif 000003
【図２】
2019216321.tif 000004
【図３】
2019216321.tif 000005
【図４】
2019216321.tif 000006
【図５】
2019216321.tif 000007
【図６】
2019216321.tif 000008
【図７】
2019216321.tif 000009
【図８】
2019216321.tif 000010
【図９】
2019216321.tif 000011